【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
流体を吸入、吐出するためのポンプアセンブリであって、
ハウジングと、該ハウジングに取り付けることができる支持フレームと、前記ハウジング内で回転することができるロータとを備え、
弾発性の材料から成る前記ハウジングは、内表面と、前記流体の吸入口を含む吸入部と、前記流体の吐出口を含む吐出部と、ダイアフラム部とを備え、
前記ハウジングと前記ロータは使用のために組立てられるときには、前記ロータのハウジング係合表面領域と前記ハウジングの内表面との間は接触してシールされ、
前記ハウジング係合表面領域から半径方向内側に配置された前記ロータのチャンバ形成表面領域は、前記ハウジングの内表面との間にチャンバを形成し、
使用中に前記ロータが前記ハウジング内で回転するとき、前記チャンバは流体を前記吸入部から前記吐出部に搬送し、
前記ロータは前記内表面に対して回転する前記ハウジング係合表面領域に応じて、前記ハウジングにトルクを加え、
前記チャンバ形成表面領域が前記吐出口から前記吸入口に移動するときには、前記ダイアフラム部は前記チャンバ形成表面領域に接触し、流体が前記吐出口から前記吸入口に流れることを防止して、前記吐出部を介してぜチャンバから流体を排出するように作用し、
前記支持フレームは使用のために組立てられるときに、前記ハウジングの複数の離間した部分に取り付けられて、少なくとも部分的には前記ハウジングを取り囲み、前記吸入部、前記吐出部そしてロータ駆動シャフトのためのポートを含み、前記ロータによって前記ハウジングに加えられるトルクを相殺するために十分な剛性を有するポンプアセンブリ。
【請求項２】
前記支持フレームは前記ダイアフラム部、又は前記内表面の領域が前記ハウジングの前記離間した部分の間に据えられるように配置される請求項1に記載のポンプアセンブリ。
【請求項３】
前記ハウジングの前記離間した部分は前記吸入部及び前記吐出部をそれぞれ含む請求項１又は２に記載のポンプアセンブリ。
【請求項４】
前記ハウジングの前記離間した部分は、それぞれ前記吸入部と前記吐出部とを備え、前記支持フレームのポート部と前記ハウジングの外表面との間にはギャップがあり、前記支持フレームの前記ポート部は前記ロータ駆動シャフトを収容するように配置され、それによって使用時に、前記ロータはロータ駆動機構によって回転させることができる前記請求項の何れかに記載のポンプアセンブリ。
【請求項５】
前記支持フレームは前記吸入部と前記吐出部との間において前記ハウジングの壁部に取り付け可能である前記請求項の何れかに記載のポンプアセンブリ。
【請求項６】
前記支持フレームは複数から成り、前記支持フレームは互いに或いは前記ハウジングと共働するように構成され、使用のために組立てられたときには異なる前記支持フレームが前記ハウジングの異なる部分に取り付けられる前記請求項の何れかに記載のポンプアセンブリ。
【請求項７】
前記支持フレームは１個又はそれ以上の流体搬送装置によって前記ポンプアセンブリに加えられる力に応じて、前記ハウジングが伸張又は圧縮されることを実質的に抑止するように構成され、十分な剛性を有する前記請求項の何れかに記載のポンプアセンブリ。
【請求項８】
前記ハウジングが前記ロータの軸線又は回転の前記トルクに応じた変形、伸張、圧縮、回転等の作用を受けないだけの剛性を十分に備えていない場合に、前記吸入部及び前記吐出部が使用中の流体搬送装置に接続される前記請求項の何れかに記載のポンプアセンブリ。
【請求項９】
前記ハウジングが前記ロータの前記ハウジング係合表面領域とのシール時の接触に応じて可逆的に膨張するように構成される前記請求項の何れかに記載のポンプアセンブリ。
【請求項１０】
前記支持フレームはそれぞれの流体搬送装置に前記吸入部と前記吐出部をそれぞれ取付けるための取付機構を有し、及び／又は接続するための、少なくとも１個の接続機構を備える前記請求項の何れかに記載のポンプアセンブリ。
【請求項１１】
前記支持フレームは使用のために組立てられるときに、前記ハウジングの支持されていない外表面から離して取り付けられ、支持されない前記外表面は前記ロータや前記ロータの回転による前記ハウジングの膨張に応じて変形されうる前記請求項の何れかに記載のポンプアセンブリ。
【請求項１２】
前記支持フレームは前記ロータの回転に応じて前記ダイアフラム部が撓めるように、前記ハウジングの係合と前記ロータのチャンバ形成表面領域に作用する弾発性付勢機構を備え、前記弾発性付勢機構の近位側は前記ダイアフラム部に当接して、半径方向に沿って往復運動し、前記弾発性付勢機構の遠位側は前記支持フレームに取り付けられ、前記ハウジングに対して安定して保持される前記請求項の何れかに記載のポンプアセンブリ。
【請求項１３】
前記支持フレームは使用のために組立てられるときに、前記ハウジングの支持された外部表面領域に接触するように構成され、前記ロータの回転に応じて前記ハウジングに対して形成された前記弾発性付勢機構の一部の往復運動による反作用力を相殺する前記請求項の何れかに記載のポンプアセンブリ。
【請求項１４】
前記支持フレームは使用時に前記ダイアフラム部を前記ロータに当接して撓ませる、前記弾発性付勢機構の少なくとも一部を収容するための溝を備えた前記請求項の何れかに記載のポンプアセンブリ。
【請求項１５】
前記支持フレームは前記ダイアフラム部に隣接して延在する前記ハウジングの壁部を収容するためのスロットを備える前記請求項の何れかに記載のポンプアセンブリ。
【請求項１６】
前記スロットは前記ハウジング内の流体を留めておくのに十分な力で前記壁部を支持するように構成される請求項１５に記載のポンプアセンブリ。
【請求項１７】
前記ロータが前記ロータ駆動シャフトを備える前記請求項の何れかに記載のポンプアセンブリ。
【請求項１８】
前記支持フレームは前記支持フレームを前記ロータ駆動機構に取り付けるための、駆動部取付機構を含む前記請求項の何れかに記載のポンプアセンブリ。
【請求項１９】
前記支持フレームが組立て及び分解が可能な、複数のフレーム部材を備える前記請求項の何れかに記載のポンプアセンブリ。
【請求項２０】
前記ハウジングの異なる外表面領域にそれぞれ取り付け可能な、複数の前記支持フレームを備える請求項1に記載のポンプアセンブリ。
【請求項２１】
前記支持フレームはポリプロピレン、ポリカーボネート、フェノール樹脂又はエポキシ樹脂、アセタール、ポリ塩化ビニル（ＰＶＣ）、アクリロニトリルブタジエンスチレン（ＡＢＳ）又はポリアミド樹脂から選択された材料から成る前記請求項の何れかに記載のポンプアセンブリ。
【請求項２２】
前記ダイアフラム部の平均的厚さが０．１〜３．０ｍｍであることを特徴とする前記請求項の何れかに記載のポンプアセンブリ。
【請求項２３】
前記ハウジングは前記吸入部と前記吐出部との間で方位角方向に向かい、かつ前記ハウジングの前記内表面から前記外表面領域まで半径方向に延びる前記基壁部を備え、チャンバが前記吸入部から前記吐出部まで回転するときに前記基壁部の容積は、７００ｋＰａまでの圧力を有する流体をチャンバ内に収容するのに十分に大きくなることを特徴とする前記請求項の何れかに記載のポンプアセンブリ。
【請求項２４】
前記基壁部は前記ダイアフラム部の平均の厚さの少なくとも４倍の平均の厚さを有する請求項２３に記載のポンプアセンブリ。
【請求項２５】
前記弾発性材料がエラストマー材料又は熱硬化性樹脂を含む前記請求項の何れかに記載のポンプアセンブリ。
【請求項２６】
前記弾発性材料はポリエチレン、ポリプロピレン、ゴム変性ポリプロピレン、可塑化ポリ塩化ビニル（ＰＶＣ）、又は熱可塑性コポリエステルエラストマー、シリコーンゴム、ブチルゴム、ニトリルゴム、ネオプレン、エチレンプロピレンジエンモノマー（ＥＰＤＭ）ゴム、又はフルオロエラストマー材料及びこれらの混合物から成る材料から選択される前記請求項の何れかに記載のポンプアセンブリ。
【請求項２７】
前記弾発性材料が１ＭＰａ〜１，５００ＭＰａのヤング率、引張弾性率及び／又は曲げ弾性率を有する前記請求項の何れかに記載のポンプアセンブリ。
【請求項２８】
弾発性材料が一般的なショア硬度Ｄ又はショア硬度Ａ（デューロメータ硬さ）の値が５〜５０を有するか、又は硬さが５０ショア硬度Ａ〜９０ショア硬度Ｄであることを特徴とする前記請求項の何れかに記載のポンプアセンブリ。
【請求項２９】
前記ロータが使用中に回転するときに、少なくとも前記ダイアフラム部の一部が、前記チャンバ形成表面領域と接触しながら前記ロータの前記ハウジング係合表面領域に接触する面から０．２〜６ｍｍの半径方向距離に離れて移動する前記請求項の何れかに記載のポンプアセンブリ。
【請求項３０】
前記ロータの前記チャンバ形成表面領域が、前記回転軸線を含む全ての平面において凹状断面を呈するように構成され、前記ロータの前記チャンバ形成表面領域の全面は凸状断面を有するように構成される前記請求項の何れかに記載のポンプアセンブリ。
【請求項３１】
前記ハウジング及び前記ロータは前記ロータが１０回転／秒で回転するときに、多くとも毎秒０．５ミリリットル（ｍｌ／ｓ）の流量の流体を吸入、吐出できるように構成される前記請求項の何れかに記載のポンプアセンブリ。
【請求項３２】
前記ロータがそれぞれ１〜１０マイクロリットル（μｌ）の容量を有するチャンバ（ボーラス）を２個又は３個の前記チャンバ形成表面領域を有し、約１０ｒｐｓのロータ回転速度において約０．０２〜０．３ミリリットル／秒の速度で流体を吸入、吐出することができる前記請求項の何れかに記載のポンプアセンブリ。
【請求項３３】
前記キャビティの平均的直径が１〜５０ｍｍである前記請求項の何れかに記載のポンプアセンブリ。
【請求項３４】
前記キャビティの平均的直径が１〜１０ｍｍであり、前記弾発性材料のヤング率、引張弾性率及び／又は曲げ弾性率が最大でも２００ＭＰａである前記請求項の何れかに記載のポンプアセンブリ。
【請求項３５】
前記ポンプは前記吸入部と前記吐出部との間の平面に関して対称であり、前記ロータの回転軸線を含み、前記ロータは前記ロータの回転軸線に対していずれの方向にも回転可能であり、前記ロータの回転方向に応じて流体を前記吸入口から吐出口に、又は前記吐出口から前記吸入口へと吸入吐出が可能な前記請求項の何れかに記載のポンプアセンブリ。
【請求項３６】
キットの形態で提供される前記請求項の何れかに記載のポンプアセンブリ。
【請求項３７】
前記ポンプアセンブリに接続するように構成された請求項１〜３６の何れかに記載の流体輸送アセンブリ。
【請求項３８】
請求項３７に記載の流体輸送アセンブリにおいて、前記ロータは、前記ロータ駆動シャフトを備えるか、又はロータ駆動シャフトに結合されており、前記支持フレームは２つ、３つ又はそれ以上の相互接続可能なフレーム部材を有し、使用中に組立てられるときには、前記支持フレームは前記ハウジングの吸入部及び吐出部に取り付けられて、前記ハウジング、前記支持フレーム及びロータは共働して構成される請求項３７に記載の流体輸送アセンブリ。
【請求項３９】
吸入部結合機構及び吐出部結合機構を有して前記支持フレーム及び前記ハウジングと共働して構成され、前記吸入部結合機構及び前記吐出部結合機構はそれぞれのポートに隣接して前記支持フレームに取り付けられ、流体が前記吸入部結合機構を通して前記ハウジングの前記吸入部に流入し、吸入された流体が前記ハウジングの前記吐出部から前記吐出部結合機構を通って排出される請求項３７又は３８に記載の流体輸送アセンブリ。